(57)【要約】【課題】交換レンズの内に砂などの異物の浸入を効果的に防止する。【解決手段】外観リング部材１６とを固定部材１４に係止爪１６ａと係止溝１４ａで固定する時に、円環状の発泡部材１５を圧縮させて取り付け、その発泡部材１５の径方向の変形により、外観リング部材１６とレンズ保持鏡筒１２の隙間を充填することで砂やゴミの浸入を防止する。【選択図】        図１
2006201250.tif 000002
【特許請求の範囲】
【請求項１】
弾性変形可能な係止用の爪形状を有する外観リング部材と、前記爪形状を係止する係止溝を有する固定部材と、撮影光学系の最も被写体側のレンズを保持するレンズ保持鏡筒と、円環状の発泡部材を有するレンズ保持鏡筒において、
前記外観リング部材の係止爪を前記固定部材の係止溝に固定した時に、前記発泡部材は、外観リング部材と前記レンズ保持鏡筒との径方向の隙間を充填するように変形することを特徴とする交換レンズ。
【発明の詳細な説明】
【技術分野】
【０００１】
本発明は、一眼レフカメラの交換レンズの防塵構造に係る交換レンズに関するものである。
【背景技術】
【０００２】
一眼レフカメラやデジタル一眼レフカメラの交換レンズにおいて、従来から交換レンズの最前部から内部へのゴミや砂の浸入を防止することが求められている。このような従来技術として、特許文献１などが知られている。この構造を特許文献１の図を用いて説明する（図９，図１０）。この構造は、移動筒９の先端に取り付ける一群保持枠６とフィルター枠４の隙間の空間を、化粧環１と発泡シーリング材２を用いてゴミ、砂、水の浸入を防止している。この構造では、化粧環１の三箇所の爪１ｂを一群保持枠６の周溝部６ｂに入り込ませることで、化粧環１を固定すると同時に、発泡シーリング材２をフィルター枠４との間で光軸方向に圧縮させることで、浸入物をシールドする構造になっている。また、一群保持枠６と化粧環１との隙間部には、別部品のＯリング３があり、ゴミの浸入を防止している。
【特許文献１】特開２００４−９３６１２号公報
【発明の開示】
【発明が解決しようとする課題】
【０００３】
しかしながら、この防塵構造では、次に示すような問題がある。
【０００４】
この発泡シーリング材２は、円環形状であり、化粧環１とフィルター枠４とで、光軸方向に挟み込み圧縮することで、化粧環１の外径側からのゴミの浸入を防いでいる。この構造では、光軸に垂直でなお且つ発泡シーリング材２を全周にわたって圧縮可能なリング状の平面部が、略同径で化粧環１とフィルター枠４の双方に必要となる。従って、このリング状の同径平面部を双方に設けるために、化粧環１やフィルター枠４の外径を大きくする必要があるため、交換レンズが大型化してしまう。また、化粧環１と一群保持枠６との隙間部は、別部材であるＯリング３を入れて、異物の浸入を防止しているので、部品点数が増えるために、組立て作業性も悪く、またコストアップになる。
【０００５】
本発明の目的は、簡単な構成でありながら、効果的に交換レンズの前端部からのゴミ等の浸入を防止する防塵構造を提供することを目的としている。
【課題を解決するための手段】
【０００６】
本発明では、弾性変形可能な係止用の爪形状を有する外観リング部材、前記爪形状を係止する係止溝を有する固定部材、撮影光学系の最も被写体側のレンズを保持するレンズ保持鏡筒、円環状の発泡部材において、
前記外観リング部材の係止爪を前記固定部材の係止溝に固定した時に、前記発泡部材は、外観リング部材と前記レンズ保持鏡筒との径方向の隙間を充填するように変形することを特徴としている。
【発明の効果】
【０００７】
本発明によれば、交換レンズの被写体側の外観リングと一群鏡筒との隙間から浸入するゴミ等を効果的に防止できる。
【発明を実施するための最良の形態】
【０００８】
以下、本発明の実施形態について添付図面を参照しながら説明する。
【実施例】
【０００９】
図１には、交換レンズの被写体側部分の断面図を示す。撮影光学系の最も被写体側のレンズ１１を保持する一群鏡筒１２は、案内筒１３に光軸方向から不図示のビス三本で固定されている。また、フィルター枠１４、絞り保持部材１７も同様に案内筒１３に光軸方向から不図示のビス三本で固定されている。ゴミの浸入を防ぐための円環状の発泡シーリング材１５は、光軸方向の両端面に粘着材１５ａが付けられており、まず一群鏡筒１２の一群鏡筒固定リブ１２ａに貼り付けされる。この状態においては、発泡シーリング材１５の内径部１５ｂは、一群鏡筒１２の外径部１２ｂには触れることはない。この状態で、次に化粧環１６をフィルター枠１４に固定した状態が図２である。化粧環１６の外径側に設けた係止爪１６ａが弾性変形しながら、フィルター枠１４の内径部に設けた係止溝１４ａに係止することで、化粧環１６はフィルター枠１４に固定される。このとき発泡シーリング材１５は、化粧環１６により光軸方向に圧縮されることになる。その結果図２に示すように、発泡シーリング材１５は、内径部１５ｂは１５ｂ’まで内径が小さくなり、一群鏡筒１２の外径部１２ｂに密着し、また外径部１５ｃは１５ｃ’まで大きく変形する。従って、この発泡シーリング材１５は、化粧環１６を装着時において、一群鏡筒１２との径方向隙間を充填するように変形することで、化粧環１６と一群鏡筒１２の隙間を埋めて、ゴミの浸入する経路を遮断している。
【００１０】
図７には、本構成の分解斜視図を示す。この図７から、一群鏡筒１２は三箇所の一群鏡筒固定リブ１２ａで案内筒１３に固定されるのみであり、発泡シーリング材１５を全周に連続的に貼り付けることが出来ないようになっている。図８には、一群鏡筒１２の一群鏡筒固定リブ１２ａに発泡シーリング材１５を貼り付けて、その他の部品を省いた時の様子を示す。この一群鏡筒１２が、円環状の発泡シーリング材１５を全周貼り付ける面が形成できないのは、案内筒１３には、一群鏡筒１２以外にフィルター枠１４と絞り保持部材１７を光軸方向から固定するたする必要があるためである。従って、それぞれフィルター枠固定リブ１４ｃと絞り保持部材固定リブ１７ａがあり、一群鏡筒１２は、全周の貼り付け面が形成できないので、単に発泡シーリング材１５を貼り付けただけでは光軸方向に隙間が出来てしまうのでゴミの浸入防止はできない。そこで、発泡シーリング材１５を加圧し、径方向に変形させることで、隙間を充填している。
【００１１】
この一群鏡筒固定リブ１２ａ，フィルター枠固定リブ１４ｃ，絞り保持部材固定リブ１７ａの光軸方向の高さは略同一であり、発泡シーリング材１５を一群鏡筒固定リブ１２ａに貼り付けると、フィルター枠固定リブ１４ｃと絞り保持部材固定リブ１７ａにも同時に張り付き、合計９箇所のリブを横断するように発泡シーリング材１５は固定される。この合計９箇所のリブが略同一面になっているのは、発泡シーリング材１５の圧縮ムラを極力すくなくするためであり、リブが存在しない僅かなところを除いて圧縮力の均一化している。また一群鏡筒１２の外径部１２ｂは、円筒形状をなしているので、発泡シーリング材１５の径方向の加圧力も略均等にしている。
【００１２】
この一群鏡筒１２、フィルター枠１４、絞り保持部材１７を案内筒１３に固定した状態を図３に示す。この図３では、発泡シーリング材１５と化粧環１６を取り外した様子を示している。この一群鏡筒１２、フィルター枠１４、絞り保持部材１７のそれぞれは、間隔を空けて配置されているために、前側部は、ゴミが浸入しやすいような隙間が非常に多く存在している。従って、図４に示すように、円環状の発泡シーリング材１５を一群鏡筒固定リブ１２ａ，フィルター枠固定リブ１４ｃ，絞り保持部材固定リブ１７ａに横断するように張っただけであると、一群鏡筒１２の外径部１２ｂと発泡シーリング材１５の内径部１５ｂの隙間部１８からゴミなどの異物が交換レンズの内部に侵入してしまうことになる。従って、化粧環１６をフィルター枠１４に取り付けることで、図２に示すように、発泡シーリング材１５変形させることで、一群鏡筒１２の外径部１２ｂと発泡シーリング材１５の内径部１５ｂとでつくられる径方向の隙間部１８を充填することで、ゴミの浸入を防ぐことができる。
【００１３】
この発泡シーリング材１５は、適度な圧力で一群鏡筒１２を加圧することになるが、その力は、撮影光学系の光学性能に影響を及ぼさない範囲程度に抑制されている。また、一群鏡筒１２は、光学性能を保証するための光学調整等で平行偏芯調整等が行われて、その取り付け位置が変化するが、そのような調整による位置変化においても、光学性能への影響は少なくなっている。
【００１４】
また、この発泡シーリング材１５は、粘着材１５ａにより、一群鏡筒１２と化粧環１６の両方に貼り付けられている。このことにより、化粧環１６の脱落の防止に効果がある。特にこの交換レンズのフィルター枠１４に衝撃が加わった場合には、化粧環１６の係止爪１６ａが係止溝１４ａから外れて、その結果化粧環１６が脱落することが起こっていたが、発泡シーリング材１５を粘着材１５ａで貼り付けることでそのような脱落が防止できる。
【００１５】
この発泡シーリング材１５の材質は、通常はウレタン、ウレタンフォームなどの発泡材質が望ましい。また、防水性なども持たせるためには、水を吸収しにくい独立気泡型の発泡フォームが望ましい。またゴム材質などでも同様な効果が得られるが、硬度の高いものであると圧縮時に一群鏡筒１２を加圧しすぎることがないように、硬度の低いものが望ましい。
【００１６】
またこの発泡シーリング材１５は、化粧環１６と一群鏡筒１２の隙間から覗けてしまうため、外観上は黒色のものであるものがよい。また、ゴミの発生少ないものが良い。
【００１７】
［他の実施形態］
図５に他の実施例を示す。基本的な部品の構成は、上記形態と同じであって、上記の発泡シーリング材１５とは異なる形状の発泡シーリング材１９が化粧環１６と一群鏡筒１２の間に粘着材１９ｃで張られている。このような形状にした場合は、化粧環１６を取り付けたときに、図６のように、発泡シーリング材１９は変形して、発泡シーリング材１９の内径部１９ａと一群鏡筒１２の外径部１２ａとの隙間を充填する。また同時に、発泡シーリング材１９の外径部１９ｂとフィルター枠１４の内径部１４ｂとの隙間を充填するように、発泡シーリング材１９は変形する。このようにした場合には、化粧環１６と一群鏡筒の隙間からのゴミ浸入を防ぐとともに、化粧環１６とフィルター枠１４との間の隙間からのゴミの浸入を防ぐことが出来る。図６の斜線部が充填されることで、異物浸入が防止できる。
【図面の簡単な説明】
【００１８】
【図１】本発明の実施形態に係わる交換レンズの構成を示す化粧環装着前の断面図である。
【図２】本発明の実施形態に係わる交換レンズの構成を示す化粧環装着後の断面図である。
【図３】本発明の発泡シーリング材１５と化粧環１６を取り外した様子を示す図である。
【図４】本発明の発泡シーリング材を貼り付けたときの図である。
【図５】本発明の他の実施形態に係わる交換レンズの構成を示す化粧環装着前の断面図である。
【図６】本発明の他の実施形態に係わる交換レンズの構成を示す化粧環装着後の断面図である。
【図７】本発明の実施形態に係わる交換レンズの部品構成を示す斜視図である。
【図８】本発明の実施形態に係わる一群鏡筒と発泡シーリング材の配置を示す図である。
【図９】従来例（特許文献１）を示す図
【図１０】従来例（特許文献１）を示す図
【符号の説明】
【００１９】
１１    レンズ
１２    一群鏡筒
１４    フィルター枠（固定部材）
１４ａ  係止溝
１５    発泡シーリング材
１６    化粧環（外観リング部材）
１６ａ  係止爪
【図１】
2006201250.tif 000003
【図２】
2006201250.tif 000004
【図３】
2006201250.tif 000005
【図４】
2006201250.tif 000006
【図５】
2006201250.tif 000007
【図６】
2006201250.tif 000008
【図７】
2006201250.tif 000009
【図８】
2006201250.tif 000010
【図９】
2006201250.tif 000011
【図１０】
2006201250.tif 000012